(57)【要約】【課題】    簡易な構造で以って注射針を後退できて安全性の高い注射針筒の注射針後退構造を提供する。【解決手段】    異径の空間を有するシリンダ１０と、シリンダ１０内に収容され、注射針５０と接合した連結ベース２０と、連結ベース２０と連結可能なプランジャ３０とを備え、プランジャ３０を前進させて連結ベース２０とシリンダ１０との位置決めを解除した後、プランジャ３０を後退させて、連結ベース２０と共に注射針５０を一括してシリンダ１０内に引き込んで注射針５０を安全に収納する。【選択図】図４
0003107899.tif 000002
【実用新案登録請求の範囲】
【請求項１】
シリンダ内に往復移動可能なプランジャを配設することによって注射針筒を構成し、注射針筒の使用後に注射針をシリンダ内に後退可能な安全注射針筒の注射針後退構造であって、
前記シリンダ内には連結ベースが配設されており、
前記連結ベースは、プランジャの前進方向に対応してプランジャの終点位置に接近する一端に、注射針と接合可能で、内部軸方向に流路を開設した突出小管が形成されていると共に、この連結ベースの他端に形成された嵌合部に、シリンダの内周面と係止可能な複数の弾性レバー片が設けられており、
プランジャが押し出されたときには、終点位置に接近した箇所において、プランジャの先端が連結ベースの嵌合部内に進入して各弾性レバー片をこじ開けることにより、各弾性レバー片の他端とシリンダ内周面との係止状態を解除すると共に、プランジャを連結ベースと結合し、
プランジャを後退させたときに連結ベースと接続した注射針をプランジャの後退に従動させてシリンダの内部まで後退可能に構成したことを特徴とする、
安全注射針筒の注射針後退構造。
【請求項２】
シリンダの内部は多段的な直径を有する異径の中空であって、その内部に設けたストッパリングによって、シリンダ内に収納した連結ベースを当接させて位置決めしていることを特徴とする、請求項1記載の安全注射針筒の注射針後退構造。
【請求項３】
連結ベースはその嵌合部が中空構造を呈し、各弾性レバー片が円環状に配列されていることを特徴とする、請求項1記載の安全注射針筒の注射針後退構造。
【請求項４】
嵌合部は複数の固定片体と複数の弾性レバー片とを有し、各弾性レバー片と隣接する固定片体との間に連結部が設置されていることを特徴とする、請求項1記載の安全注射針筒の注射針後退構造。
【請求項５】
各弾性レバー片は内壁の一端にフランジが形成されており、プランジャの先端がフランジに接触したときに、各弾性レバー片にてこ機能を発揮可能に構成したことを特徴とする、請求項1記載の安全注射針筒の注射針後退構造。
【請求項６】
プランジャの先端に逆止め用円柱が設けられており、プランジャが前方に移動して連結ベースの嵌合部内に進入したときに、弾性レバー片の一端と係止状態を形成するとともに、弾性レバー片の他端を弾かせることにより、連結ベースとシリンダとの係止位置決め状態を解除可能に構成したことを特徴とする、請求項1記載の安全注射針筒の注射針後退構造。
【請求項７】
プランジャの先端には環状突起が設けられており、プランジャが前方に移動して終点位置まで移動したときに、環状突起が弾性レバー片の他端に係合することにより、連結ベースとプランジャとを結合させ、プランジャの後退時に連結ベースも併せてシリンダ中空体内に後退させることを特徴とする、請求項1記載の安全注射針筒の注射針後退構造。
【考案の詳細な説明】
【技術分野】
【０００１】
本考案は注射針筒の注射針後退構造に関するものであり、特に注射針筒の内部に液体を収納可能であると同時に、注射針筒が収納液体を完全に注射した後、注射針筒のプランジャを利用して注射針をシリンダの中空体内まで後退させて、安全に収納できる安全注射針筒の注射針後退構造に関するものである。
【背景技術】
【０００２】
一般の注射針筒の構成は中空構造のシリンダと、シリンダ内に配設されているプランジャとにより構成されている。そのうちシリンダの一端は突出していて、注射針と結合することができる。そしてプランジャを押動することで、シリンダ内に収納されている液体（例えば薬剤）を、注射針を通じて注入できるようになっている。
【０００３】
一般の注射針筒には注射針を収納する機能が備わっていない。そのため、注射針に針カバーを被せてから注射針を取り外す必要があった。このように注射針に針カバーを被せなければならないため、操作中の不注意により針を刺すという危険な事態が容易に発生するといった問題がある。
【０００４】
使用後の注射針の廃棄問題を解決するため、公知技術においては連結ベースと針とを一括してシリンダ内に引き入れることが設計基準となっているが、各発明の具体的な技術（手段や構造）はすべて異なっている。
すなわち、プランジャを連結ベースの底面まで押し出すことにより、プランジャと連結ベースとを結合させ、その後、プランジャを直接外方向に引っ張り、連結ベースと針とをシリンダ内に引き入れる技術が周知であるが、この公知技術においては、連結ベースの位置決め操作を解除する動作は見受けられない。
【考案の開示】
【考案が解決しようとする課題】
【０００５】
本考案の第一の目的は、主に注射針筒を使用後に、プランジャが後退操作の動作中に、連結ベースと注射針とを後退させてシリンダの内部に引き入れることにより、注射針が使用者またはその他周辺の関係者あるいは物体に刺さることを回避することが可能である、安全注射針筒の注射針後退構造を提供することである。
【０００６】
本考案の第二の目的は、弾性レバー片を有する連結ベースが備わり、一端は注射針と接合しており、別の一端はシリンダの内周面に形成したストッパリングと当接して位置決め構造を成しており、注射針を操作するとき、プランジャが前方向に押されて終点位置に接近する箇所まで移動して弾性レバー片と接触してそれを動かすと、弾性レバー片の当接位置決めを解除できる、安全注射針筒の注射針後退構造を提供することである。
【０００７】
本考案の第三の目的は、プランジャが前方向に終点位置まで移動すると、連結ベースと係止作用を発揮することができるため、それによりプランジャが「後方」に引き動かされると、連結ベースと注射針とが一括してシリンダ内に引き入れられて、使用後に注射針を安全に収納し得るという安全面の目的を達成できる、安全注射針筒の注射針後退構造を提供することである。
【課題を解決するための手段】
【０００８】
上記した課題を達成するため、本願の第１考案は、シリンダ内に往復移動可能なプランジャを配設することによって注射針筒を構成し、注射針筒の使用後に注射針をシリンダ内に後退可能な安全注射針筒の注射針後退構造であって、前記シリンダ内には連結ベースが配設されており、前記連結ベースは、プランジャの前進方向に対応してプランジャの終点位置に接近する一端に、注射針と接合可能で、内部軸方向に流路を開設した突出小管が形成されていると共に、この連結ベースの他端に形成された嵌合部に、シリンダの内周面と係止可能な複数の弾性レバー片が設けられており、プランジャが押し出されたときには、終点位置に接近した箇所において、プランジャの先端が連結ベースの嵌合部内に進入して各弾性レバー片をこじ開けることにより、各弾性レバー片の他端とシリンダ内周面との係止状態を解除すると共に、プランジャを連結ベースと結合し、プランジャを後退させたときに連結ベースと接続した注射針をプランジャの後退に従動させてシリンダの内部まで後退可能に構成したことを特徴とするものである。
【０００９】
本願の第２考案は、前記した第１考案に係る安全注射針筒の注射針後退構造において、シリンダの内部は多段的な直径を有する異径の中空であって、その内部に設けたストッパリングによって、シリンダ内に収納した連結ベースを当接させて位置決めしていることを特徴とするものである。
【００１０】
本願の第３考案は、前記した第１考案に係る安全注射針筒の注射針後退構造において、連結ベースはその嵌合部が中空構造を呈し、各弾性レバー片が円環状に配列されていることを特徴とするものである。
【００１１】
本願の第４考案は、前記した第１考案に係る安全注射針筒の注射針後退構造において、嵌合部は複数の固定片体と複数の弾性レバー片とを有し、各弾性レバー片と隣接する固定片体との間に連結部が設置されていることを特徴とするものである。
【００１２】
本願の第５考案は、前記した第１考案に係る安全注射針筒の注射針後退構造において、各弾性レバー片は内壁の一端にフランジが形成されており、プランジャの先端がフランジに接触したときに、各弾性レバー片にてこ機能を発揮可能に構成したことを特徴とするものである。
【００１３】
本願の第６考案は、前記した第１考案に係る安全注射針筒の注射針後退構造において、プランジャの先端に逆止め用円柱が設けられており、プランジャが前方に移動して連結ベースの嵌合部内に進入したときに、弾性レバー片の一端と係止状態を形成するとともに、弾性レバー片の他端を弾かせることにより、連結ベースとシリンダとの係止位置決め状態を解除可能に構成したことを特徴とするものである。
【００１４】
本願の第７考案は、前記した第１考案に係る安全注射針筒の注射針後退構造において、プランジャの先端には環状突起が設けられており、プランジャが前方に移動して終点位置まで移動したときに、環状突起が弾性レバー片の他端に係合することにより、連結ベースとプランジャとを結合させ、プランジャの後退時に連結ベースも併せてシリンダ中空体内に後退させることを特徴とするものである。
【考案の効果】
【００１５】
本考案では、シリンダの内部に多段構造の直径をもつ中空に形成されており、その内周面にストッパリングが形成されている。連結ベースはシリンダの内部に配設されており、連結ベースの一端には注射針を接合するための突出小管が設けられており、別の一端には中空体構造の嵌合部が形成されており、嵌合部の円周面にはてこ作用を備えた複数の弾性レバー片が設けられているとともに、複数の弾性レバー片はシリンダ内においてストッパリングと当接、位置決め状態を形成している。またプランジャの一端に環状突起を設けただけの簡単な構成で以って、プランジャを前方向へ押し込んで連結ベースの嵌合部に進入させ、弾性レバー片が弾かれててこ作用を発揮し、弾性レバー片と筒体の外筒との係止状態を解除した後、プランジャを後退させるだけで連結ベースと注射針とを同時にシリンダの内部に後退させて収納することができる。
さらに本考案は、バネの反発力により連結ベースと針とをシリンダ内に落とし入れる必要はなく、また回動方式により連結ベースとシリンダとの結合状態を解除する必要もない。
また本考案の連結ベースとシリンダとの間の位置決め作用により、通常の使用中における連結ベースの安定性がよい。本考案を従来技術と比較した場合は、異なる構造形態を備えているばかりではなく、更に注射針の廃棄操作が簡便であるという使用面での有益な効果を具備している。
【考案を実施するための最良の形態】
【００１６】
以下、図面に基づき実施例について詳細に説明する。
【実施例】
【００１７】
図１は本考案に係る安全針筒であり、シリンダ１０と連結ベース２０とプランジャ３０とにより構成される。
【００１８】
図２に示すようにシリンダ１０は中空で両端が貫通した管柱であり、その内部の先端１２に接近した位置には多段構造の直径をもつ異径の中空が形成されているとともに、その内周面にストッパリング１４が形成されている。シリンダ１０の末端１６には比較的大きな直径の筒翼１８が設けられている。
【００１９】
図３に示すように連結ベース２０は、突出小管２２と中空体構造の嵌合部２４を具備する。突出小管２２は注射針(needle)と結合するための管柱を形成していて、内部の軸方向に流路２６が貫通して設けられている。
嵌合部２４は複数の弾性レバー片２８を具備する。弾性レバー片２８は嵌合部２４の円周面に配列されている。各弾性レバー片２８と隣接する固定片体２７との間には連結２８１が設けられており、それにより各弾性レバー片２８が位置決めされるとともに、抉じ開けられる機能を備えている。また各弾性レバー片２８の末端には外向きに延伸した係止フランジ２８２が形成されていると共に、内壁面の突出小管２２に接近した表面側にはフランジ２８４が形成されている。
【００２０】
さらに図１に示すようにプランジャ３０は長柱体であり、その端部にはフランジ状の環状突起３４と逆止め用円柱３５とが形成されている。
【００２１】
図４に各部材を組付けた安全針筒の断面を示す。連結ベース２０はシリンダ１０の内部に配設され、嵌合部２４に設けられた各弾性レバー片２８の一端の係止フランジ２８２がシリンダ１０の内周面に形成されたストッパリング１４に当接して位置決めされている。注射針５０は連結ベース２０の突出小管２２に接続している。
【００２２】
プランジャ３０はシリンダ１０内に往復移動自在に挿入されている。連結ベース２０の突出小管２２に外装したピストンリング３２は、シリンダ１０の内周面に密着して当接している。ストッパリング１４に係止してシリンダ１０に位置決め状態にある連結ベース２０は、ピストンリング３２を圧迫して、連結ベース２０を軸方向に位置決めする機能を発揮することの他に、シリンダ１０内の液体の漏出防止作用の強化に役立つ。
【００２３】
つぎに使用方法について説明する。図５に示すように注射針筒の使用目的を達成した後において、使用者がプランジャ３０をさらに前方向に押動することにより、プランジャ３０の一端が連結ベース２０の嵌合部２４内に進入する。プランジャ３０の端部が各弾性レバー片２８の内壁面のフランジ２８４の位置まで変位して各弾性レバー片２８を抉じ開ける。すると、各弾性レバー片２８の一端の係止フランジ２８２がストッパリング１４との分離を開始する。
【００２４】
さらに図６に示すように、引き続きプランジャ３０を終点位置まで押動すると、プランジャ３０の先端に設けた環状突起３４が弾性レバー片２８のフランジ２８４を抉じ開け、弾性レバー片２８のフランジ２８４がプランジャ３０の環状突起３４を跨ぎ越して、逆止め用円柱３５で停止し、弾性レバー片２８の係止フランジ２８２とシリンダ内のストッパリング１４との当接位置決め状態を解除する。
同時に弾性レバー片２８のフランジ２８４がプランジャ３０の環状突起３４と連結されるため、プランジャ３０を「後方」に引き戻すと、連結ベース２０とプランジャ３０とが一体に後退する。
【００２５】
図７に示すようにプランジャ３０の先端部を連結ベース２０に結合させた後、プランジャ３０を「後方」に引き戻すと、連結ベース２０と一体の注射針５０がプランジャ３０に従動して一緒にシリンダ１０の内部に後退する。これにより注射針５０を安全にシリンダ１０内に収納することができる。
【００２６】
図８は他の実施例に係る注射針筒に適用可能な連結ベース２０を示す。
連結ベース２０はその一端に注射針管(cannula)と接続可能な突出小管２２が形成されており、突出小管２２の内部には軸方向に貫通した流路２６が設けられている。また連結ベース２０の別の一端には中空体構造の嵌合部２４が形成されており、嵌合部２４の円周面に複数の弾性レバー片２８が設けられており、各弾性レバー片２８と隣接する固定片体２７との間には連結部２８１が設けられている。その他、各弾性レバー片２８の末端には係止フランジ２８２が形成されており、別の一端にはフランジ２８４が形成されている。
【００２７】
図９に示すように、連結ベース２０は弾性レバー片２８の係止フランジ２８２によりストッパリング１４と相互に当接して位置決めすることで、シリンダ１０内に装着される。そしてプランジャ３０を終点位置に接近するまで押動すると、プランジャ３０の先端部の環状突起３４が弾性レバー片２８のフランジ２８４を抉じ開けるばかりでなく、弾性レバー片２８のフランジ２８４をプランジャ３０の環状突起３４を跨ぎ越して、逆止め用円柱３５の形成箇所で停止させ、弾性レバー片２８の係止フランジ２８２とシリンダ内のストッパリング１４との当接位置決め状態を解除し、それと同時に弾性レバー片２８のフランジ２８４がプランジャ３０の環状突起３４と連結するため、プランジャ３０を「後方」に引き戻すことで、連結ベース２０と注射針５０とを一緒にシリンダ１０内に引き込むことができる。
【図面の簡単な説明】
【００２８】
【図１】本考案に係る安全注射針筒の分解図
【図２】シリンダの断面図
【図３】連結ベースの断面斜視図
【図４】安全注射針筒の断面図
【図５】弾性レバー片とシリンダとの係止状態が解除された時の安全注射針筒の断面図
【図６】弾性レバー片と連結ベースが嵌合した時の安全注射針筒の断面図
【図７】注射針が内部に引き戻された時の安全注射針筒の断面図
【図８】他の実施例に係る連結ベースの断面図
【図９】他の実施例の弾性レバー片と連結ベースを嵌合した時の安全注射針筒の断面図
【符号の説明】
【００２９】
１０：シリンダ
１２：先端
１４：ストッパリング
１６：末端
１８：筒翼
２０：連結ベース
２２：突出小管
２４：嵌合部
２６：流路
２７：固定片体
２８：弾性レバー片
２８１：連結部
２８２：係止フランジ
２８４：フランジ
３０：プランジャ
３２：ピストンリング
３４：環状突起
３５：逆止め用円柱
５０：注射針
【図１】
0003107899.tif 000003
【図２】
0003107899.tif 000004
【図３】
0003107899.tif 000005
【図４】
0003107899.tif 000006
【図５】
0003107899.tif 000007
【図６】
0003107899.tif 000008
【図７】
0003107899.tif 000009
【図８】
0003107899.tif 000010
【図９】
0003107899.tif 000011